(57)【要約】【課題】回路遮断器の主回路接点が溶着した異状状態では、操作ハンドルをＯＦＦ位置に回しても、ハンドルのロックプレートを鎖錠位置に引き出せないようにする。【解決手段】外部操作ハンドル装置２の操作ハンドル５と回転軸６との間に、連結手段として皿形のハンドルベース１１をケーシング４に内装し、かつハンドルベースと操作ハンドルとの間を周方向に遊びを持たせた長穴１１ａと該穴に嵌入する連結ピン５ｂからなる連結機構，およびハンドルベースの底壁に形成した窓穴１１ｂ内で操作ハンドルのバネ受け座５ｃとの間に架け渡してハンドルを常時ＯＮ方向に付勢するバネ機構を介して連繋するとともに、ハンドルベースの周上には、回路遮断器のロッカーハンドルがＯＦＦ位置に移動した状態でのみ、前記ケーシングの周上に形成したロック溝４ａと連通して操作ハンドルに設けたロックプレート１０の引き出しを許容する第２のロック溝を形成する。【選択図】        図１
2005302537.tif 000002
【特許請求の範囲】
【請求項１】
回路遮断器に組み合わせてそのロッカーハンドルをＯＮ，ＯＦＦ位置に操作する回路遮断器の外部操作ハンドル装置であり、該装置が円筒形ケーシングの開口端側に内装したロータリー式の操作ハンドルと、該操作ハンドルの回転軸と回路遮断器のロッカーハンドルとの間を連繋する回転／直線変換機構とからなり、かつ操作ハンドルには引き出し式のロックプレートを備え、ＯＦＦ位置で操作ハンドルから外周側に引き出した前記ロックプレートをケーシングの周上に形成した半径方向のロック溝に嵌入して操作ハンドルをこの位置に掛止するようにしたものにおいて、
前記外部操作ハンドル装置の操作ハンドルと回転軸との間を分離した上で、その相互間の連結手段として操作ハンドルと回転軸との間にハンドルの底面および下部周面を包囲する皿形のハンドルベースをケーシングの内側に配置し、かつハンドルベースと操作ハンドルとの間を周方向に遊びを持たせてハンドルに加えた操作力をハンドルベースに伝える連結機構，およびハンドルベースに対して操作ハンドルを常時ＯＮ方向に付勢するバネ機構を介して連繋するとともに、ハンドルベースの周上に、回路遮断器のロッカーハンドルがＯＦＦ位置に移動した状態でのみ前記ケーシングの周上に形成したロック溝と連通してロックプレートの引き出しを許容する第２のロック溝を形成したことを特徴とする回路遮断器の外部操作ハンドル装置。
【請求項２】
請求項１記載の外部操作ハンドル装置において、連結機構が、操作ハンドルの底面もしくはハンドルプレートのいずれか一方の部材に突設した連結ピンと、該ピンが嵌入する他方側部材に形成した周方向の長穴とからなることを特徴とする回路遮断器の外部操作ハンドル装置。
【請求項３】
請求項１記載の外部操作ハンドル装置において、バネ機構が、ハンドルプレートの底壁に開口した窓穴と、該窓穴の内部で操作ハンドルとハンドルプレートとの間に架け渡してハンドルをＯＮ方向に付勢する圧縮バネとからなることを特徴とする回路遮断器の外部操作ハンドル装置。
【発明の詳細な説明】
【技術分野】
【０００１】
本発明は、オートブレーカー，漏電遮断器などに適用する外部操作ハンドル装置に関す
る。
【背景技術】
【０００２】
頭記の外部操作ハンドル装置は、配電盤，制御盤などの盤内に装備した回路遮断器に組み合わせて回路遮断器を盤外から手動でＯＮ，ＯＦＦ操作するものであり、次に従来における一般的な外部操作ハンドル装置の構成を図４，図５で説明する。
各図において、１はケース上部に起倒式のロッカーハンドル１ａを備えた回路遮断器、２は外部操作ハンドル装置である。ここで、外部操作ハンドル装置２は、取付ベース３と、ハンドルケーシング４と、該ケーシング４の開口端側に内装したロータリー式の操作ハンドル５と、該操作ハンドル５に結合してケーシング４の底面を貫通した回転軸６と、操作ハンドル５の回転操作力をロッカーハンドル１ａに伝える回転／直線運動変換機構として操作ハンドル５と回路遮断器１のロッカーハンドル１ａとの間を連繋するクランク７とスライダ８との組立体になり、操作ハンドル５はボルト９で回転軸６に結合されている。なお、スライダ８は、回路遮断器１のロッカーハンドル１ａに係合する爪部を有し、ロッカーハンドルの開閉方向（直線方向）へ移動可能に案内支持されており、かつ移動方向と直交する方向に形成した長穴８ａにクランク７のクランクピン７ａを嵌入している。
【０００３】
また、操作ハンドル５をＯＦＦ位置に掛止するロック手段として、ハンドル５の摘まみ部には外周側へ引き出し可能なロックプレート１０を備えるとともに、ケーシング４の周上には操作ハンドル５のＯＦＦ位置に対応して前記ロックプレート１０の引き出しを許容する半径方向のロック溝４ａを形成し、操作ハンドル５のＯＦＦ位置で外周側に引き出したロックプレート１０を前記ロック溝４ａに嵌入して操作ハンドル５をこの位置に掛止するようにしている。なお、１０ａはロックプレート１０のガイドピン、１０ｂはロックプレート１０をケーシング４の外周側に引き出した状態で南京錠（図示せず）を掛ける錠掛
け穴である。
上記の構成で、図５（ａ）に示すＯＮ位置から操作ハンドル５を反時計方向に回すと、操作ハンドル５の回転に連動してスライダ８が回路遮断器１のロッカーハンドル１ａをＯＦＦ位置に駆動して回路遮断器の主接点を開極させる。そして、操作ハンドル５が図５（ｂ）のＯＦＦ位置に移動すると、ロックプレート１０とケーシング４の周上に形成したロック溝４ａとの向きが合敦し、これによりロックプレート１０を矢印方向に引き出してロック溝４ａに掛止させることが可能となる。また、ケーシング５の外周側に引き出したロックプレート１０の錠穴１０ｂに南京錠（図示せず）を掛けて施錠することで、操作ハンドル５がＯＦＦ位置に鎖錠される。
【０００４】
ところで上記構成の外部操作ハンドル装置は次記のような問題点がある。すなわち、回路遮断器が万一故障して主回路に過電流が通流しても正常にトリップ動作しない場合には、主回路接点の固定接点と可動接点が溶着して通電状態のままとなる異常事態が発生するが、このような状況の下でも回路遮断器のロッカーハンドルに大きな力を加えることにより無理やりにハンドルをＯＮ位置からＯＦＦ位置に移動操作することが可能である。このために、主接点が閉じているにも係わらずロッカーハンドルがＯＦＦ位置に移動することから回路遮断器がＯＦＦになっていると誤認するおそれがある。
そこで、このような回路遮断器の動作誤認を避けるために、回路遮断器の開閉機構とロッカーハンドルとの間を機械的にインターロックし、主回路接点が溶着して正常にトリップ動作しない状態ではロッカーハンドルをＯＦＦ位置に移動できないようにしたアイソレーション機能付きの回路遮断器が知られている。
【０００５】
また、回路遮断器に組み合わせて使用するロックプレート付きの外部操作ハンドル装置について、回路遮断器の主回路接点が溶着した状況の下では、外部操作ハンドル装置の操
作ハンドルをＯＦＦ位置に移動してもロックプレートを引き出して鎖錠できないようにす
る手段として、ハンドル装置の操作ハンドル（ロータリー式ハンドル）と回路遮断器のロカーハンドルとの間に、ロッカーハンドルに連動する連結軸（連動部材）を介挿してこの連結軸と操作ハンドルとの間に周方向の遊びを持たせて連繋し、主接点の溶着時には前記遊びによって連結軸とＯＦＦ位置に移動した操作ハンドルとの相対位置のずれよってロックプレートの引き出しを阻止するようにした構成のものが知られている（例えば、特許と献１参照）。
【特許文献１】特開２００２−２５４１１号公報
【発明の開示】
【発明が解決しようとする課題】
【０００６】
前記特許文献１に開示されている外部操作ハンドル装置によれば、回路遮断器の主回路接点が溶着した状態では、ハンドル装置の操作ハンドルをＯＦＦ位置に回してもロックプレートをロック位置に引き出して南京錠を掛けることができず、これにより遮断器の動作誤認を防ぐことができるものの、その製品化には構造面で次記のような課題が残る。
すなわち、前記構成で操作ハンドルのＯＮ位置，ＯＦＦ位置を正しく表示させるには、連結軸に対して操作ハンドルをガタなしに常時ＯＮ方向にバネ付勢しておく必要があるが、特許文献１の構成では連結軸の外周に操作ハンドルを嵌合していることから、操作ハン                                                                                                                                              
ドルをＯＮ方向に付勢するバネを連結軸と操作ハンドルとの間に組み付けるには、スペース確保の制約もあって構造的に困難さを伴う。
【０００７】
そこで、本発明は、図４，図５に示した外部操作ハンドル装置の構造を基に、その内部機構を改良して前記課題の解決を図った回路遮断器の外部操作ハンドル装置を提供することにある。
【課題を解決するための手段】
【０００８】
上記目的を達成するために、本発明によれば、外部操作ハンドル装置の操作ハンドルと回転軸との間を分離した上で、その相互間の連結手段として操作ハンドルと回転軸との間に、ハンドルの底面および下部周面を包囲する皿形のハンドルベースをケーシングの内側に配置し、かつハンドルベースと操作ハンドルとの間を周方向に遊びを持たせてハンドルに加えた操作力をハンドルベースに伝える連結機構，およびハンドルベースに対して操作ハンドルを常時ＯＮ方向に付勢するバネ機構を介して連繋するとともに、ハンドルベースの周上には、回路遮断器のロッカーハンドルがＯＦＦ位置に移動した状態でのみ前記ケーシングの周上に形成したロック溝と連通してロックプレートの引き出しを許容する第２のロック溝を形成する（請求項１）ものとし、その連結機構，バネ機構は具体的に次記のような態様で構成する。
（１）操作ハンドル／ハンドルベース間の連結機構は、操作ハンドルの底面もしくはハンドルプレートのいずれか一方の部材に相手側部材に向けて突き出した連結ピンと、相手側部材に開口して前記連結ピンが嵌入する周方向の長穴とで構成する（請求項２）。
（２）ハンドルベースに対して操作ハンドルをＯＮ方向に付勢するバネ機構は、ハンドルプレートの底面に開口した窓穴と、この窓穴の一端に形成したバネ受座と操作ハンドルから窓穴内に突き出したバネ座との間に架け渡してハンドルをＯＮ方向に付勢する圧縮バネとで構成する（請求項３）。
【発明の効果】
【０００９】
前記の構成によれば、回路遮断器が故障して主回路接点が溶着した異状状態では、外部                                                                                                                  操作ハンドル装置の操作ハンドルをＯＦＦ位置に回しても、回路遮断器のロッカーハンドルと連動するハンドルプレートの周上に形成したロック溝とケーシングに形成したロック溝との位置が合致しないので、操作ハンドルのロックプレートを前記の各ロック溝を通してケーシング外周側に引き出して南京錠を掛けることかできず、これにより回路遮断器の動作誤認を防いで安全性を高めることができる。
また、ハンドルベースを操作ハンドルの底面，下部周面を包囲する皿形構造とし、かつその底面側に開口した窓穴内で操作ハンドルとの間に付勢バネを架け渡してハンドルを常時ＯＮ方向に付勢するようにした構成により、回路遮断器の接点溶着のない通常の使用状態では、遊びを有する連結機構のとの併用で外部操作ハンドル装置のＯＮ，ＯＦＦ操作時に操作ハンドルをＯＮ，ＯＦＦ表示位置に正しく表示させることができるとともに、その付勢バネの組み付けも簡易な構造で対応できる。↓
【発明を実施するための最良の形態】
【００１０】
以下、本発明の実施の形態を図１〜図３に示す実施例に基づいて説明する。なお、実施例の図中で図４，図５に対応する部材には同じ符号を付してその説明は省略する。
すなわち、図示実施例においては、図４，図５に示した従来構造と比べて、操作ハンドル５を回転軸６から切り離した上で、その間には連結部材としてハンドルベース１１を新たに介挿した上で、ハンドルベース１１と操作ハンドル５との間を次記の連結機構，バネ機構を介して連繋するようにしている。
ここで、ハンドルベース１１は操作ハンドル５の底面および下部周面を包囲する皿形構造であり、回転軸６の上端に一体結合した上でケーシング４に内装し、この位置でハンドルベース１１の上に載置した操作ハンドルが回転軸６に結合した支軸（段付きボルト）５ａに遊俵支持されている。また、操作ハンドル５とハンドルベース１１との間の連結機構として、ハンドルベース１１の底壁には周方向の長穴１１ａを形成し、この長穴１１ａに操作ハンドル５の底面に架設した位置決め用の連結ピン５ｂを嵌入している。さらに、ハンドルベース１１に対して操作ハンドルをＯＮ方向に付勢するバネ機構として、ハンドルベース１１の底壁に窓穴１１ｂを開口した上で、該窓穴１１ｂの一端側に形成したバネ受け座と換作ハンドル５の底面から突き出したアーム状のバネ受け座５ｃとの間に付勢バネ（圧縮コイルバネ）１２を架け渡し、付勢バネ１２のバネカで操作ハンドル５を常時ＯＮ方向に向けて付勢している。さらに、ハンドルベース１１の周壁１１ｃの上面には後記のようにＯＦＦ位置で操作ハンドル５に備えたロックプレート１０の引き出しを許容する第２のロック溝１１ｄを形成しており、その他の構造は図４，図５の構成と同様に、回転軸６がクランク７とスライダ８を組み合わせた回転／直線運動変換機構を介して回路遮断器１のロッカーハンドル１ａに係合するようしている。
【００１１】
次に、前記構成になる外部操作ハンドル装置の動作を図１（ｂ），図２および図３を引用して説明する。まず、図１（ｂ）は操作ハンドル５をＯＮ位置に回した回路遮断器１の投入状態を表している。この状態では、回路遮断器１のロッカーハンドル１ａと連動するハンドルベース１１に対して、操作ハンドル５は付勢バネ１２のバネカによりＯＮ位置に向け時計方向に付勢されて連結ピン５ｂが長穴１１ａの終端に停止し、この位置で操作ハンドル５の摘まみ部がケーシング４の周上に表示したＯＮ位置を指している。
この状態から、操作ハンドル５に操作力を加えてＯＦＦ位置に向けて反時計方向に回すと、付勢バネ１２を圧縮しながら連結ピン５ｂが長穴１１ｂの遊び分を移動して反対側端に当たった後、ハンドルベース１１と一緒に回転する。これにより、図４，図５で述べたように、クランク７，スライダ８からなる回転／直線運動変換機構を介して回路遮断器１のロッカーハンドル１ａをＯＦＦ方向に駆動する。この場合に主回路接点に溶着がなければ、回路遮断器１がＯＦＦ動作して主回路接点が開極する。図２はこのＯＦＦ操作状態を表しており、操作ハンドル５が矢印Ａ方向に回転してＯＦＦ位置に移動すると、操作ハンドル５に連動してハンドルベース１１も図示位置に移動する。また、この状態では操作ハンドル５から手を離しても、ハンドルの摘まみ部はＯＦＦ位置を正しく表示する。しかも．この位置では操作ハンドル５のロックプレート１０とケーシング４に形成したロック溝４ａとハンドルベース１１に形成したロック溝１１ｄが全て一直線上に並ぶようになる。これにより、ロックプレート１０を操作ハンドル５の格納位置か矢印Ｂ方向に引き出してロック溝４ａ，１１ｄに掛止し、さらにケーシング４の外側に引き出したロックプレート１０に南京錠を掛けて操作ハンドル５をＯＦＦ位置に鎖錠することができる。なお、この位置から操作ハンドル５をＯＮ位置に回すと、図１（ｂ）の状態に戻って回路遮断器１が投入される。
【００１２】
一方、回路遮断器１の主回路接点が溶着した異状状態の下で操作ハンドル５をＯＦＦ操作した場合には、図３で表すように操作ハンドル５に操作力を加えてＯＦＦ位置に回しても、ハンドルベース１１は回路遮断器１のロッカーハンドル１ａに拘束されているために、操作ハンドル５に追随できずに付勢バネ１２が圧縮して図示位置に停止する。しかも、この停止位置では、ケーシング４に形成したロック溝４ａに対してハンドルベース１１に形成したロック溝１１ｄの位置は、長穴１１ａの遊び分に相応した分だけ周方向へ相対的にずれている。このために、操作ハンドル５からロックプレート１０を引き出そうとしても、ハンドルベース１１の周壁１１ｃに阻まれて外周側へ引き出して掛止させることがで
きず、さらにロックプレート１０に南京錠を掛けることもできない。これにより回路遮断器１の動作誤認を防止して安全性を高めることができる。
【００１３】
しかも、図示実施例の組立構造では、操作ハンドル５と回転軸６との間に連結部材として皿形構造のハンドルプレート１１を介挿した上で、このハンドルプレート１１の底壁と操作ハンドル５の底面との間に遊びを有する連結機構（長穴１１ａと連結ピン５ｂ），およびバネ機構（窓穴１１ｂの中で架け渡した付勢バネ１２）を設けており、これにより外部操作ハンドル装置２への前記連結機構およびバネ機構の組み付けが簡単な構造で対応できる。また、回路遮断器１に対するハンドル装置の多少の組立誤差を補償して操作ハンドル５で回路遮断器のＯＮ，ＯＦＦ動作を正しく表示させることができる。さらに、この場合に付勢バネ１２のバネカを十分大きくしておけば、通常のＯＮ，ＯＦＦ操作ではハンドルベース１１との間の相対的なガタが生じないので、図４に示した従来構造のハンドル装置と同様な操作感覚でハンドルをＯＮ，ＯＦＦ操作することができる。
【図面の簡単な説明】
【００１４】
【図１】本発明の実施例による外部操作ハンドル装置の構成図で、（ａ），（ｂ）はそれぞれ回路遮断器に組み合わせてＯＮ操作した状態を表す縦断側面図，および一部切欠平面図
【図２】図１の構成で操作ハンドルをＯＦＦ操作した動作状態を表す平面図
【図３】回路遮断器の主接点が溶着した異状時に操作ハンドルをＯＦＦ操作した場合の動作状態を表す平面図
【図４】従来における外部操作ハンドル装置の構成を示す縦断側面図
【図５】図４の平面図で、（ａ），（ｂ）はそれぞれ操作ハンド′レをＯＮ，ＯＦ Ｆ位置に回した状態を表す図
【符号の説明】
【００１５】
１    回路遮断器
１ａ  ロッカー→ハンドル
２    外部操作ハンド／レ
４    ケーシング
４ａ  ロック溝
５    操作ハンド／レ
５ｂ  連結ピン
５ｃ  バネ受け座
６    回転軸
７    クランク（回転／直線運動機構）
８    スライダ（回転／直線運動機構）
１０    ロックプレート
１１    ハンド／レベース
１１ａ  長穴
１１ｂ  窓穴
１１ｃ  周壁
１１ｄ  ロック溝
１２    付勢バネ
【図１】
2005302537.tif 000003
【図２】
2005302537.tif 000004
【図３】
2005302537.tif 000005
【図４】
2005302537.tif 000006
【図５】
2005302537.tif 000007